(57)【要約】【課題】  本発明は地震によって目地部が狭くなる方向に揺れ動き、可動側目地プレートが固定側目地プレートに乗り上げて揺れ動きを吸収する際に、通路付近を通行している歩行者が安全に通行することができる床用目地装置を得るにある。【解決手段】  歩行可能な通路と目地部を介して設けられた建物の壁面間の目地部を塞ぐ床用目地装置であって、前記建物の壁面に設けられた固定側目地プレート支持部と、前記通路に設けられた固定側目地プレートスライド支持部と、前記固定側目地プレート支持部に先端部が支持され、前記固定側目地プレートスライド支持部に後端部がスライド可能に支持された固定側目地プレートと、該固定側目地プレートの上面に形成された傾斜面を有する可動側目地プレートスライド支持部と、前記通路に先端部が取り付けられ、前記可動側目地プレートスライド支持部に後端部がスライド可能に支持された可動側目地プレートとで床用目地装置を構成している。【選択図】  図１
2016138421.tif 000002
【特許請求の範囲】
【請求項１】
歩行可能な通路と目地部を介して設けられた建物の壁面間の目地部を塞ぐ床用目地装置であって、
前記建物の壁面に設けられた固定側目地プレート支持部と、前記通路に設けられた固定側目地プレートスライド支持部と、前記固定側目地プレート支持部に後端部が支持され、前記固定側目地プレートスライド支持部に先端部がスライド可能に支持された固定側目地プレートと、該固定側目地プレートの上面に形成された傾斜面を有する可動側目地プレートスライド支持部と、前記通路に後端部が取り付けられ、前記可動側目地プレートスライド支持部に先端部がスライド可能に支持された可動側目地プレートとより構成されることを特徴とする床用目地装置。
【請求項２】
前記可動側目地プレートは、先端部にヒンジを介してカバープレートを備えることを特徴とする請求項１記載の床用目地装置。
【発明の詳細な説明】
【技術分野】
【０００１】
本発明は歩行可能な通路と目地部を介して設けられた建物の壁面間の目地部を塞ぐ床用目地装置に関する。
【背景技術】
【０００２】
従来、この種の床用目地装置は建物の壁面側に設けられた目地プレートが、通路側の床面に乗り上げる構成のものも知られている（特許文献１参照）。
【０００３】
しかしながら、これらの床用目地装置は、地震により目地部が狭くなる方向に揺れ動いた際に、通路側に設置された目地プレートが床面に乗り上げて、通路側に突出するため、通路を通行している歩行者に可動側目地プレートの先端部分が激突する可能性があり、歩行者が怪我等を負う危険性があった。
【先行技術文献】
【特許文献】
【０００４】
【特許文献１】特許第３１８９２２８号公報
【発明の概要】
【発明が解決しようとする課題】
【０００５】
本発明は以上のような従来の欠点に鑑み、地震によって目地部が狭くなる方向に揺れ動き、可動側目地プレートが固定側目地プレートに乗り上げて揺れ動きを吸収する際に、通路付近を通行している歩行者が安全に通行することができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は歩行可能な通路と目地部を介して設けられた建物の壁面間の目地部を塞ぐ床用目地装置であって、前記建物の壁面に設けられた固定側目地プレート支持部と、前記通路に設けられた固定側目地プレートスライド支持部と、前記固定側目地プレート支持部に先端部が支持され、前記固定側目地プレートスライド支持部に後端部がスライド可能に支持された固定側目地プレートと、該固定側目地プレートの上面に形成された傾斜面を有する可動側目地プレートスライド支持部と、前記通路に先端部が取り付けられ、前記可動側目地プレートスライド支持部に後端部がスライド可能に支持された可動側目地プレートとで床用目地装置を構成している。
【発明の効果】
【０００８】
以上の説明から明らかなように、本発明にあっては次に列挙する効果が得られる。
（１）請求項１の発明においては、地震によって建物および通路間の目地部の幅が変動しても、固定側目地プレートおよび可動側目地プレートによって、建物に目地プレートが激突することなく確実に建物の壁面および通路間の目地部を塞ぐことができる。
（２）地震によって目地部が広がる方向に揺れ動いた際に、可動側目地プレートの先端部が建物の壁面方向に持ち上がるため、通路を通行している歩行者がいても、その歩行者にせり上がった可動側目地プレートの先端が激突する等の事故を防止することができる。
（３）請求項２も前記（１）、（２）と同様な効果が得られる。
【図面の簡単な説明】
【０００９】
【図１】本発明を実施するための第１の形態の平面図。
【図２】図１の２−２線に沿う断面図。
【図３】固定側目地プレート支持部の説明図。
【図４】本発明を実施するための第１の形態の固定側目地プレートの説明図。
【図５】本発明を実施するための第１の形態の可動側目地プレートの説明図。
【図６】本発明を実施するための第１の形態の地震で目地部が狭くなった動作説明図。
【図７】本発明を実施するための第１の形態の地震で目地部が広くなった動作説明図。
【図８】本発明を実施するための第２の形態の使用状態の平面図。
【図９】図８の９−９線に沿う断面図。
【図１０】固定側目地プレート支持部の説明図。
【図１１】本発明を実施するための第３の形態の使用状態の平面図。
【図１２】図１１の１２−１２線に沿う断面図。
【図１３】可動側目地プレートの説明図。
【発明を実施するための形態】
【００１０】
以下、図面に示す本発明を実施するための形態により、本発明を詳細に説明する。
図１ないし図７に示す本発明を実施するための第１の形態において、１は歩行可能な通路２と目地部３を介して設けられた建物４の壁面５間の目地部３を塞ぐ床用目地装置で、この床用目地装置１は、前記建物４の壁面５に設けられた固定側目地プレート支持部６と、前記通路２に設けられた固定側目地プレートスライド支持部７と、前記固定側目地プレート支持部６に先端部が支持され、前記固定側目地プレートスライド支持部７に後端部がスライド可能に支持された固定側目地プレート８と、該固定側目地プレート８の上面に形成された傾斜面９を有する可動側目地プレートスライド支持部１０と、前記通路２に先端部が取り付けられ、前記可動側目地プレートスライド支持部１０に後端部がスライド可能に支持された可動側目地プレート１１とで構成されている。
【００１１】
前記固定側目地プレート支持部６は、前記建物４の壁面５に複数本の固定ビス１２によって固定された、図３に示すようなアングル状の支持レール１３と、この支持レール１３に固定された固定側目地プレート設置ピン１４とで構成されている。なお、支持レール１３には補強のためのリブを適宜設けても良い。
【００１２】
前記固定側目地プレートスライド支持部７は、通路２の目地部側に凹部状に形成されており、反目地部側には可動側目地プレート１１を枢支する枢支ピン１５が固定されている。
【００１３】
前記固定側目地プレート８は、平面視長方形状で、傾斜面９を有する可動側目地プレートスライド支持部１０が形成された金属材製の固定側目地プレート本体１６と、この固定目地プレート本体１６の後端両側部内に設けられ、前記固定側目地プレート設置ピン１４が入り込み固定側目地プレート１１を固定側目地プレート支持部６に取り付けるピン収納ボックス１７、１７と、固定側目地プレート本体１６内へ充填されたモルタルあるいはコンクリート１８と、このモルタルあるいはコンクリート１８の上面に貼り付けられた大理石等のタイルやレンガ等の床化粧板１９とで構成されている。なお、床化粧板１９は動側目地プレートスライド支持部１０には敷設しなくてもよい。
【００１４】
前記可動側目地プレート１１は、平面視長方形状で金属材製の可動側目地プレート本体２０と、この可動側目地プレート本体２０の後端両側部内に設けられ、前記枢支ピン１５が入り込み可動側目地プレート１１を枢支状態で通路に取り付けるピン収納ボックス２１、２１と、可動側目地プレート本体２０内へ充填されたモルタルあるいはコンクリート２２と、このモルタルあるいはコンクリート２２の上面に貼り付けられた大理石等のタイルやレンガ等の床化粧板２３と、前記可動側目地プレート本体２０の先端部にヒンジ２４を介して、先端部が上下方向に回動できるように取付けられたカバープレート２５とで構成されている。なお、可動側目地プレート１１の高さ寸法は、前記可動側目地プレートスライド支持部１０と略同じ高さに形成されているのが望ましいが、本実施の形態においては、カバープレート２５が略水平になるようにカバープレート２５の厚さ分だけ可動側目地プレート１１の高さ寸法を可動側目地プレートスライド支持部１０と略同じ高さよりも高くしている。
【００１５】
地震で目地部３が狭くなるように通路２と建物４が揺れ動くと、図６に示すように、可動側目地プレート１１は、固定側目地プレート８の後端部側にせり上がり、その揺れ動きを吸収する。この時可動側目地プレート１１は、建物４の壁面５方向に先端部が持ち上がるため、通路２を通行している歩行者がいても、その歩行者にせり上がった可動側目地プレート１１が激突する等の事故を防止することができる。なお、固定側目地プレートスライド支持部７には滑り材２６が敷設されており、固定側目地プレート８は固定側目地プレートスライド支持部７をスムーズにスライド移動することができる。
【００１６】
地震で目地部２が広くなるように通路２と建物４が揺れ動くと、図７に示すように可動側目地プレート１１は、固定側目地プレート８の上面に形成された可動側目地プレートスライド支持部１０上をスライド移動し、その揺れ動きを吸収する。
【００１７】
[発明を実施するための異なる形態]
次に、図８ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図８ないし図１０に示す本発明を実施するための第２の形態において、前記本発明を実施するための第１の形態と主に異なる点は、建物４の壁面５に固定側目地プレート支持部６Ａを形成した点で、このような構成の床用目地装置１Ａにしても前記本発明を実施するための第１の形態と同様な作用効果が得られる。
【００１９】
図１１ないし図１３に示す本発明を実施するための第３の形態において、前記本発明を実施するための第１の形態と主に異なる点は、可動側目地プレートスライド支持部１０の傾斜面９と対応する傾斜面２７を形成した可動側目地プレート本体２０Ａを用いて可動側目地プレート１１Ａを構成した点で、このような可動側目地プレート１１Ａを用いた床用目地装置１Ｂにしても前記本発明を実施するための第１の形態と同様な作用効果が得られる。
【００２０】
なお、本願発明の実施の形態においては、先端部にヒンジを介してカバープレートを備える可動側目地プレートを用いて説明したが、本願発明はこれに限られず、カバープレートを備えない可動側目地プレートを用いても良い。
【００２１】
また、可動側目地プレートのスライド移動時の摩擦等による摩耗や破損を防ぐために、可動側目地プレートスライド支持部１０および傾斜面９に保護板等を敷設してもよい。
【産業上の利用可能性】
【００２２】
本発明は床用目地装置を製造する産業で利用される。
【符号の説明】
【００２３】
１、１Ａ、１Ｂ：床用目地装置、    ２：通路、
３：目地部、                      ４：建物、
５：壁面、
６、６Ａ：固定側目地プレート支持部、
７：固定側目地プレートスライド支持部、
８：固定側目地プレート、          ９：傾斜面、
１０：可動側目地プレートスライド支持部、
１１、１１Ａ：可動側目地プレート、１２：固定ビス、
１３：支持レール、                １４：固定側目地プレート設置ピン、
１５：枢支ピン、                  １６：固定側目地プレート本体、
１７：ピン収納ボックス、          １８：モルタルあるいはコンクリート、
１９：床化粧板、                  ２０、２０Ａ：可動側目地プレート本体、
２１：ピン収納ボックス、          ２２：モルタルあるいはコンクリート、
２３：床化粧板、                  ２４：ヒンジ部材、
２５：カバープレート、            ２６：滑り材、
２７：傾斜面。
【図１】
2016138421.tif 000003
【図２】
2016138421.tif 000004
【図３】
2016138421.tif 000005
【図４】
2016138421.tif 000006
【図５】
2016138421.tif 000007
【図６】
2016138421.tif 000008
【図７】
2016138421.tif 000009
【図８】
2016138421.tif 000010
【図９】
2016138421.tif 000011
【図１０】
2016138421.tif 000012
【図１１】
2016138421.tif 000013
【図１２】
2016138421.tif 000014
【図１３】
2016138421.tif 000015